(57)【要約】【目的】インキの粘度が所定以上に高かったり、あるいは着色微粒子が所定以上に大きい場合であってもペン先が詰まって筆記不可となる問題等を加圧作用を利用して正常に筆記可能とするものであって、且つ、加圧操作が面倒なく、且つ安価に提供できることを課題とする。【構成】  先端にサインペンまたはマーカー等のペン芯を有し、後方のインキ収容部にインキとインキの後端にインキと追随するフォロアが配設され、更にその後方に加圧機構が設けられてなる加圧式の筆記具に於いて、加圧機構は、フォロアの後方で、軸筒内を前後動可能に重りが配設されてなり、軸筒を振ったときの慣性で、重りがフォロア側に前進したときに、フォロアの後端との間の空間が圧縮・加圧されてインキのペン芯側への流動性が支援されるように構成されてなる。【選択図】        図２
2006150718.tif 000002
【特許請求の範囲】
【請求項１】
先端にサインペンまたはマーカー等のペン芯を有し、後方のインキ収容部にインキとインキの後端にインキと追随するフォロアが配設され、更にその後方に加圧機構が設けられてなる加圧式の筆記具に於いて、
加圧機構は、フォロアの後方で、軸筒内を前後動可能に重りが配設されてなり、軸筒を振ったときの慣性で、重りがフォロア側に前進したときに、フォロアの後端との間の空間が圧縮・加圧されてインキのペン芯側への流動性が支援されるように構成されたことを特徴とする加圧式の筆記具。
【請求項２】
加圧機構は、重りと、その重り前方でフォロアの後端に位置して設けられた弁体とで構成され、その重りの前進作動によって所定圧で弁体が開弁して前方に空気が押し込まれるように設けられてなる請求項１に記載の加圧式の筆記具。
【請求項３】
加圧機構は、重りがフォロア側に前進したときに、重りの前端とフォロアの後端との間の空間が圧縮・加圧されてインキのペン芯側への流動性が支援可能となり、重りが軸筒の後端側に移動したときには、重りの前端とフォロアの後端との間の空間が外気と連通した状態となるように設けられてなる請求項１に記載の加圧式の筆記具。
【請求項４】
軸筒前方の先軸部開口にペン芯が適宜前後動可能に嵌着され、そのペン芯の後方にインキ疎通用弁体が配設されて、その弁体の弁部に前記ペン芯の後端が当接してペン芯を後退させたときに弁部が開口し、インキ収容部側からペン芯側にインキが疎通可能となるように設けられてなる請求項１に記載の加圧式の筆記具。
【発明の詳細な説明】
【技術分野】
【０００１】
本発明は、先端にサインペンまたはマーカー等のペン芯を有した筆記具であって、初期筆記でインキ切れしやすいインキを使用したもの、乾燥しやすいインキを使用したもの、インキに種々のフィラーが混入されたもの、紙面に筆記した筆跡が消しゴムでの擦過により容易に消去できるインキが充填されたもの、誤記等を白色のインキで隠蔽することで修正可能とするもの、などの加圧式の筆記具に関する。
【背景技術】
【０００２】
【特許文献１】実公平６−３２２２０
【特許文献２】実公平６−４９４０
【特許文献３】実公平８−８８６８
【特許文献４】特特第２６８３５１１号
【特許文献５】特開平８−１０８６８３
【特許文献６】特開２００４−２９１５７６  （特許文献１）  多孔質体からなるペン芯、繊維集合体あるいは連通多孔質体からなる塗布液吸蔵体等で構成され、毛細管力によってインキが導出される。このものは、インキの粘度が低すぎる場合にペン先からインキがボタ落ちする問題がある。また反面、インキの粘度が所定以上に高かったり、あるいは着色微粒子が所定以上に大きい場合にペン先が詰まって筆記不可となる問題が存在する。  （特許文献２）  ノック体を作動させて弁部の開閉を行い、弁部を開口してペン先にインキを導出させる。このものは、ペン先にインキを保有させるため、ノックでペン先がインキの保有能力以上となった場合にインキがボタ落ちする問題が存在する。  （特許文献３）  インキ筒内にインキの消費につれて前進するスライド栓が配置されてインキ室が形成され、このインキ室内に弾性に富んだ合成樹脂からなるバルブ栓が配置されて、インキ室が主インキ室と副インキ室とに区画され、バルブ栓の前面外周に形成されてインキ室の内壁に接触する鍔状弁部が主インキ室と副インキ室の差圧によりインキ室の内壁から離間し、インキが副インキ室に供給されるスライド栓付筆記具において、インキ筒の先端開口にペン体が摺動自在に嵌着されるとともに、ペン体の後端が該バルブ栓の前端面に当接し、ペン体を後退させるとバルブ栓の前端面中央部が大きく窪んで鍔状弁部が中央寄りに変形してインキ室の内壁から離間し、主インキ室から副インキ室に至るインキ通路が開くように構成されたスライド栓付筆記具が示されている。  （特許文献４）  請求項１において、  ペン軸と、このペン軸内に形成され液体状のインクを直接収容するインク貯溜室と、このインク貯溜室内に液密をもって摺動自在に設けられインクと空気を区画するとともにインクの消費に対応して摺動するスライド栓と、このペン軸の先端部に軸方向に移動自在に設けられたペン体と、上記のペン軸内に設けられ上記のインク貯溜室側とペン体側とを区画するとともに上記のペン体に筆圧が作用した場合に上記のインク貯溜室側に弾性変形してこのインク貯溜室内の内容積を減少させる弾性材料からなるダイヤフラム部材と、上記のペン軸に対して軸方向に移動自在に設けられ先端部に上記のペン体が装着されるとともに後端部が上記のダイヤフラム部材に連結されたホルダと、このダイヤフラム部材に形成されこのダイヤフラム部材が上記のインク貯溜室側に弾性変形した場合に開放されて上記のインク貯溜室側とペン体側を連通する切欠状の開口部とを具備したことを特徴とする筆記具と記載されている。  （特許文献５）  インキ収容部とペン先との間に前後２箇所の弁部を設けて、弁部と弁部の間に弁室を形成し、ペン先を押圧後退させた時に弁室の圧縮によって前方の弁部が開口してペン先側にインキが吐出され、押圧を解除してペン先が戻るときに吸引作用により後方の弁部が開口してインキ収容部から弁室内にインキが補充される。このものは、ペン先を押圧してインキが吐出されるため、塗布には適するが通常の筆記等に使用する場合にはインキの吐出量を安定させることが難しく、また構造がやや複雑で安価に提供しえない問題が存在する。  （特許文献６）  先端にサインペンまたはマーカー等のペン芯���有し、後方のインキ収容部にインキとインキの後端にインキと追随するフォロアが配設され、更にその後方にポンピング式の加圧機構が設けられてなる加圧式の筆記具である。この加圧機構は、外周部が後軸筒の内周部に密接し、前後退可能に後軸筒に係止されるノック機構部と、そのノック機構部の前方に加圧空気を疎通させる弁機構が設けられて、ノック機構部を前進させた時に空間部が圧縮されてフォロアの後端が加圧されるように構成されている。
【発明の開示】
【発明が解決しようとする課題】
【０００３】
先端に連続気孔を有した多孔質体、軸方向に複雑な毛細管が形成されて成る所謂プラ芯、繊維集合体、などからなるペン芯をペン先としたサインペン、マーカー等の筆記具に於いて、
紙面に筆記した筆跡が消しゴムでの擦過により容易に消去できるインキ、誤記等を白色で隠蔽する所謂修正インキ、メタリックカラーインキ、ラメを配したインキ、パール調インキ、筆記描線の乾燥が極めて速いインキなどのように、顔料粒子、高分子粒子、金属粉、金属箔、雲母などをインキ中に含み、高固形分濃度で粘度が高く、剪断減粘性を有するインキ、などのインキを使用可能とし、インキの粘度が所定以上に高かったり、あるいは着色微粒子が所定以上に大きい場合であってもペン先が詰まって筆記不可となる問題等を加圧作用を利用して正常に筆記可能とするものであって、且つ、加圧操作が面倒なく、且つ安価に提供できることを課題とする。
【課題を解決するための手段】
【０００４】
本発明は、上記課題を達成する為に以下の構成を有する。
請求項１に記載の発明に係る加圧式の筆記具は、端にサインペンまたはマーカー等のペン芯を有し、後方のインキ収容部にインキとインキの後端にインキと追随するフォロアが配設され、更にその後方に加圧機構が設けられてなる加圧式の筆記具に於いて、加圧機構は、フォロアの後方で、軸筒内を前後動可能に重りが配設されてなり、軸筒を振ったときの慣性で、重りがフォロア側に前進したときに、フォロアの後端との間の空間が圧縮・加圧されてインキのペン芯側への流動性が支援されるように構成されてなる。
【０００５】
請求項２に記載の発明に係る加圧式の筆記具は、請求項１に記載の加圧式の筆記具に於いて、加圧機構は、重りと、その重り前方でフォロアの後端に位置して設けられた弁体とで構成され、その重りの前進作動によって所定圧で弁体が開弁して前方に空気が押し込まれるように設けられてなる。
【０００６】
請求項３に記載の発明に係る加圧式の筆記具は、請求項１に記載の加圧式の筆記具に於いて、加圧機構は、重りがフォロア側に前進したときに、重りの前端とフォロアの後端との間の空間が圧縮・加圧されてインキのペン芯側への流動性が支援可能となり、重りが軸筒の後端側に移動したときには、重りの前端とフォロアの後端との間の空間が外気と連通した状態となる。
【０００７】
請求項４に記載の発明に係る加圧式の筆記具は、請求項１に記載の加圧式の筆記具に於いて、軸筒前方の先軸部開口にペン芯が適宜前後動可能に嵌着され、そのペン芯の後方にインキ疎通用弁体が配設されて、その弁体の弁部にペン芯の後端が当接してペン芯を後退させたときに弁部が開口し、インキ収容部側からペン芯側にインキが疎通可能となる。
【発明の効果】
【０００８】
本発明の加圧式の筆記具の構成及び作用は以上の如くであり、先端に連続気孔を有した多孔質体、軸方向に複雑な毛細管が形成されて成る所謂プラ芯、繊維集合体、などからなるペン芯をペン先としたサインペン、マーカー等の筆記具に於いて、粘度の低いインキのボタ落ち防止や、紙面に筆記した筆跡が消しゴムでの擦過により容易に消去できるインキ、誤記等を白色で隠蔽する所謂修正インキ、メタリックカラーインキ、ラメを配したインキ、パール調インキ、筆記描線の乾燥が極めて速いインキなどのように、顔料粒子、高分子粒子、金属粉、金属箔、雲母などをインキ中に含み、高固形分濃度で粘度が高く、剪断減粘性を有するインキ、などのインキを使用可能とし、インキの粘度が所定以上に高かったり、あるいは着色微粒子が所定以上に大きい場合であってもペン先が詰まって筆記不可となる問題が回避可能である。しかも筆記中あるいは塗布中に圧力不足でインキの流出に支障が生じてもいちいち軸筒を持ち替えなくても軸筒を振るだけで加圧が促進されるので使い勝手が極めて良い。
【発明を実施するための最良の形態】
【０００９】
図１乃至図９は本発明の実施形態である加圧式の筆記具を示している。
加圧式の筆記具は、軸筒１、ペン芯３、インキ疎通用弁体４、インキ６、フォロア７、加圧機構を主要素として構成され、通常、筆記具の最終形態としては軸筒前方の先軸部に被嵌するキャップ（図示せず）が設けられる。
【００１０】
軸筒１は樹脂成形品（通常は透明樹脂）で、先方に先軸部２が一体または螺子接合等で気密状に接合されてなる。
先軸部２の軸心には、前端にペン先を突出させてペン芯３が適宜範囲で前後動可能に嵌着され、そのペン芯３の後方にインキ疎通用弁体４が配設されている。この疎通用弁体４は、シリコーンゴム等の弾性材よりなり、後端に壁部を有する筒状体で、その壁部中央に適宜スリット部が穿設されたインキ疎通用弁部４ａが設けられている。前記ペン芯３の後端がこのインキ疎通用弁部４ａ当接し、ペン芯３を後退させたときにインキ疎通用弁部４ａのスリット部が開口し、インキ収容部側からペン芯側にインキが疎通可能となるように設けられている。実施形態では、インキ疎通用弁体４が固定具５によって先軸部２内の所定位置に固定されている。
【００１１】
筆記先端部の形態は上記実施形態に限定されず、基本的には、通常のサインペンやマーカー等で構成される形態で対応可能である。また必要によって、ペン芯は、積極的な係止部によってスライド軸に固着されて、ペン芯の外周部とスライド軸の挿通孔周面との間にインキ漏れ防止部が設けられ、更にスライド軸が先軸部の軸内に液密状に摺動するように設けられてなる。
また、ペン芯３を後退させたときに弁部が開口してインキが疎通可能となる弁体構造は、実施形態はもとより従来技術で示された様々な機構が利用できる。
【００１２】
軸筒１は、インキ疎通用弁体４の後方にインキ収容部を有しており、そのインキ収容部内には、ペン先からインキがボタ落ちしやすい低い粘度のインキや、反対に紙面に筆記した筆跡が消しゴムでの擦過により容易に消去できるインキ、誤記等を白色で隠蔽する所謂修正インキ、メタリックカラーインキ、ラメを配したインキ、パール調インキ、筆記描線の乾燥が極めて速いインキなどのように、顔料粒子、高分子粒子、金属粉、金属箔、雲母などをインキ中に含み、高固形分濃度で粘度が高く、剪断減粘性を有するインキ、など低粘度や高粘度のインキや剪断減粘性を有するインキが充填され、そのインキの後端にインキの消耗と共にインキと追随するグリース状のフォロア１１が充填されている。また、フォロア１１はインキと相溶性が無く、インキの蒸発を防止する性能を有している。また、必要に応じてフォロア内にフォロアと略同等の比重を有する樹脂製のフォロア棒８が浸漬される。尚、フォロアは例えばシリコンゴム等の追従体とすることも可能である。
【００１３】
次に、加圧機構の実施形態について説明する。加圧機構は、図２に示すように軸筒１内にフォロア７の後端に対接してゴム等の弾性体よりなる弁体１２が配設され、更に後方で、軸筒の後端から脱出しない状態で軸筒内を前後動可能な重り９が配設されてなり、軸筒１を振ったときの慣性で、重り９が前進したときに重り９の前端と弁体１２との間の空間が圧縮・加圧されると共に、適宜圧力で弁体１２が開弁してフォロア７の後端に加圧空気が流入してインキ６のチップ３側への流動性が支援されるようになされている。また、重り９が軸筒１の後端側に移動したときには、重り９の前端とフォロアの後端との間の空間が外気と連通した状態となるようになされている。
【００１４】
弁体１２は、シリコンゴムや他のゴム等の弾性体あるいは軟質樹脂成形品などからなる筒状体で、その内孔部に前方側に膨出した略球面状の薄肉部が形成され、その中央部にはスリット状の弁部１２ａが形成されてなる。この弁体は前記薄肉部の後方からの加圧空気に対して弾性変形でスリットが開口し、反対に薄肉部の前方側からの加圧空気に対してはスリットが閉じるように構成されている。尚、弁体は実施例の形態に限定されず設けることが可能である。
【００１５】
重り９は、前方外周部に周状の凹部９ａが形成され、また、重り９の前端から軸心に孔９ｂが形成され、その孔９ｂの側面から前記凹部９ａの後方側に連通した孔９ｃが形成されている。また、凹部９ａ内には一例としてゴム等の弾性体や弾性のある成形樹脂などより成るシールリング１０装着されている。シールリング１０は、機密性、滑り性のよいものが選択される。また、他潤滑剤を介在させるなど配慮される。
【００１６】
また、軸筒１の略後端の側面には窓部１ｂが穿設されており、尾栓１１は、その外周部に形成された突状の係止部１１ａを窓部１ｂに弾性的に係合させて固着されている。
尚、尾栓の固着手段は上記に限定されず設けることが可能である。
【００１７】
（作用）
先ず、筆記しない状態では、インキ疎通用弁体４のインキ疎通用弁部４ａのスリット部が閉口しているのでインキのボタ落ち等が防止される。
筆圧によりペン芯３が後退したときにインキ疎通用弁部４ａのスリット部が開口してインキ６がペン芯３側に供給される。
また、フォロア棒８はインキ収容部が大径である場合に使用される。即ち、グリース状のフォロア７は、インキ収容部が大径の場合に衝撃などの影響で変形を受け破壊されやすいという問題がある。フォロア内にフォロアと略同等の比重を有する樹脂製のフォロア棒を浸漬させることにより剛性を上げることが可能となる。
【００１８】
次に、加圧機構の作用を以下に説明する。
軸筒１を振ったときの慣性で、重り９は軸筒の弁体１２と尾栓１１の前端との間で前後動可能となる。重り９の外周と軸筒１の内周との間には適宜隙間が設けられ、シールリング１０の外周と軸筒の内周とが気密状に僅かに密接した状態となされている。
重り９が弁体１２側に前進したときには、シールリング１０が軸筒内面との摩擦によって凹部９ａの後端側に寄った状態となり、シールリング１０によって孔９ｃが閉塞された状態で重り９が摺動し、重り９の前端とフォロア７の後端との間の空間が圧縮・加圧される。そのとき、所定の加圧力で弁体１２の弁部１２ａが微小に開弁してフォロア７の後端に加圧空気が流入すると共に重り９の前端部が弁体１２の後端に略当接した状態で加圧が終了する。（図２参照）また、重り９が軸筒１の後端側に移動したときには、シールリング１０が軸筒内面との摩擦によって凹部９ａの前端側に寄った状態となり、そのとき、孔９ｃの閉塞状態が開放されて、重り９の前端と弁体１２の後端との間の空間が外気と連通した状態となるので、重り９の前端とフォロア７の後端との間の空間が減圧されること無く重り９が後退し、また、弁部１２ａは閉じた状態でフォロア７の後端の加圧状態は維持され、重り９の後端部が尾栓の前端に当接した状態で後退が終了する。（図３参照）
【００１９】
上記加圧作用によって、フォロア７の後端が加圧されてインキ６のペン芯側への流動性が支援される。そのことは、落下衝撃やインキの流動性の悪さ等に起因してペン先の周面からインキが離れてしまい連続的なインキの流出がとぎれるのを防止する作用ととぎれた時に回復する作用となる。
【００２０】
また、図４及び図５は加圧機構の別の実施形態を示している。
重り１３は、前方外周部に周状の凹部１３ａが形成され、また、凹部１３ａの前端側所要箇所に溝１３ｂが形成されて、重り１３の前進で、シールリング１０が凹部１３ａの後端側に寄ったときには重り１３の前端と弁体１２の後端との間の空間が加圧可能となり、（図４参照）また、重り１３の後退で、シールリング１０が凹部１３ａの前端側に寄ったときには溝１３ｂを通じて、重り１３の前端と弁体１２の後端との間の空間が外気と連通した状態となるので、重り１３の前端とフォロア７の後端との間の空間が減圧されること無く重り１３が後退する。
【００２１】
また、図６及び図７は加圧機構のまた別の実施形態を示している。
この加圧機構は、図６に示すようにフォロア７の後方で、軸筒１内にフォロア７の後端に当接しない状態で、且つ軸筒の後端から脱出しない状態で軸筒内を前後動可能な重り１４が配設されてなり、軸筒１を振ったときの慣性で、重り１４がフォロア７側に前進したときに、重り１４の前端とフォロア７の後端との間の空間が圧縮・加圧されてインキのペン芯側への流動性が支援されるようになされている。また、重り１４が軸筒１の後端側に移動したときには、重り１４の前端とフォロアの後端との間の空間が外気と連通した状態となるようになされている。
【００２２】
重り１４は、前方外周部に周状の凹部１４ａが形成され、また、重り１４の前端から軸心に孔１４ｂが形成され、その孔１４ｂの側面から前記凹部１４ａの後方側に連通した孔１４ｃが形成されている。また、凹部１４ａ内には一例としてゴム等の弾性体や弾性のある成形樹脂などより成るシールリング１５ｇが装着されている。シールリング１５は、機密性、滑り性のよいものが選択される。また、他潤滑剤を介在させるなど配慮される。
【００２３】
（加圧機構の作用）
軸筒１を振ったときの慣性で、重り１４は軸筒の段部１ａと尾栓１１の前端との間で前後動可能となる。重り１４の外周と軸筒１の内周との間には適宜隙間が設けられ、シールリング１５の外周と軸筒の内周とが気密状に僅かに密接した状態となされている。
重り１４がフォロア７側に前進したときには、シールリング１５が軸筒内面との摩擦によって凹部１４ａの後端側に寄った状態となり、シールリング１５によって孔１４ｃが閉塞された状態で重り９が摺動し、重り９の前端とフォロア７の後端との間の空間が圧縮・加圧されると共に重り１４の前端部が軸筒の段部１ａに当接した状態で加圧が終了する。（図６参照）また、重り１４が軸筒１の後端側に移動したときには、シールリング１５が軸筒内面との摩擦によって凹部１４ａの前端側に寄った状態となり、そのとき、孔１４ｃの閉塞状態が開放されて、重り１４の前端とフォロアの後端との間の空間が外気と連通した状態となるので、重り１４の前端とフォロア７の後端との間の空間が減圧されること無く重り１４が後退し、重り１４の後端部が尾栓の前端に当接した状態で後退が終了する。（図７参照）
【００２４】
上記加圧作用によって、フォロア７の後端が加圧されてインキのペン芯側への流動性が支援される。そのことは、落下衝撃やインキの流動性の悪さ等に起因してペン先の周面からインキが離れてしまい連続的なインキの流出がとぎれるのを防止する作用ととぎれた時に回復する作用となる。
【００２５】
また、図８及び図９は加圧機構の更にまた別の実施形態を示している。
重り１６は、前方外周部に周状の凹部１６ａが形成され、また、凹部１６ａの前端側所要箇所に溝１６ｂが形成されて、重り１６の前進で、シールリング１７が凹部１６ａの後端側に寄ったときには重り１６の前端とフォロア７の後端との間の空間が加圧可能となり、（図８参照）また、重り１６の後退で、シールリング１７が凹部１６ａの前端側に寄ったときには溝１６ｂを通じて、重り１６の前端とフォロア７の後端との間の空間が外気と連通した状態となるので、重り１６の前端とフォロア７の後端との間の空間が減圧されること無く重り１６が後退する。
【図面の簡単な説明】
【００２６】
【図１】本発明の実施形態である加圧式の筆記具の前方部を示す縦断面図である。
【図２】本発明の実施形態ある加圧式の筆記具の後方部を示す縦断面図で、重りが前進した状態を示している。
【図３】本発明の実施形態ある加圧式の筆記具の後方部を示す縦断面図で、重りが後退した状態を示している。
【図４】加圧機構の別の実施形態を示した縦断面図で、重りが前進した状態を示している。
【図５】加圧機構の別の実施形態を示した縦断面図で、重りが後退した状態を示している。
【図６】加圧機構のまた別の実施形態を示した縦断面図で、重りが前進した状態を示している。
【図７】加圧機構のまた別の実施形態を示した縦断面図で、重りが後退した状態を示している。
【図８】加圧機構の更にまた別の実施形態を示した縦断面図で、重りが前進した状態を示している。
【図９】加圧機構の更にまた別の実施形態を示した縦断面図で、重りが後退した状態を示している。
【符号の説明】
【００２７】
１      軸筒
１ａ    段部
１ｂ    窓部
２      先軸部
３      ペン芯
４      インキ疎通用弁体
４ａ    インキ疎通用弁部
５      固定具
６      インキ
７      フォロア
８      フォロア棒
９      重り
９ａ    凹部
９ｂ    孔
９ｃ    孔
１０    シールリング
１１    尾栓
１１ａ  係止部
１２    弁体
１２ａ  弁部
１３    重り
１３ａ  凹部
１３ｂ  溝
１４    重り
１４ａ  凹部
１４ｂ  孔
１４ｃ  孔
１５    シールリング
１６    重り
１６ａ  凹部
１６ｂ  溝
１７    シールリング
【図１】
2006150718.tif 000003
【図２】
2006150718.tif 000004
【図３】
2006150718.tif 000005
【図４】
2006150718.tif 000006
【図５】
2006150718.tif 000007
【図６】
2006150718.tif 000008
【図７】
2006150718.tif 000009
【図８】
2006150718.tif 000010
【図９】
2006150718.tif 000011